(57)【要約】【課題】装着時の見栄え、使い勝手を良好にすることができる鞄締め付けベルトの提供を目的とする。【解決手段】ベルト本体１の長手方向に弾性線材や弾性繊維を用いて形成される弾性帯体２を連結して該弾性帯体２の弾性変形によりループ径Ｄを伸縮自在に形成してなり、  前記弾性帯体２は、長手方向に対する直交方向から包み込むように被さる名札ケース３に材端部４が縫着される。  また、前記弾性帯体は、連結体に形成される連結軸部で折り返されて前記名札ケースに両材端部が縫着される。【選択図】図２
2008272186.tif 000002
【特許請求の範囲】
【請求項１】
ベルト本体の長手方向に弾性線材や弾性繊維を用いて形成される弾性帯体を連結して該弾性帯体の弾性変形によりループ径を伸縮自在に形成してなり、
前記弾性帯体は、長手方向に対する直交方向から包み込むように被さる名札ケースに材端部が縫着される鞄締め付けベルト。
【請求項２】
前記弾性帯体は、連結体に形成される連結軸部で折り返されて前記名札ケースに両材端部が縫着される請求項１記載の鞄締め付けベルト。
【発明の詳細な説明】
【技術分野】
【０００１】
本発明は鞄締め付けベルトに関するものである。
【背景技術】
【０００２】
ベルト本体の長手方向に弾性帯体を連結してループ径を伸縮自在にした鞄締め付けベルトとしては、従来、特許文献１に記載されたものが知られている。この従来例において鞄締め付けベルトは、長尺ベルト部の一端と短尺ベルト部の一端とを縫い繋げて形成され、長尺ベルト部は伸縮しない比較的太い糸を編み込むことにより、短尺ベルト部はゴム芯入りのゴム糸を編み込むことにより形成される。上記長尺ベルト部と短尺ベルト部のそれぞれの一端の縫い繋げは、それぞれの端部を折り重ねて縫合することによりなされる。
【０００３】
また、上記短尺ベルト部の他端は、雄側の連結具に形成される連結環で折り返された後、折り重ねられて短尺ベルト部自身の適宜位置に縫着され、これにより短尺ベルト部が雄側の連結具に連結される。この雄側の連結具に連結される雌側の連結具には長尺ベルト部の他端側が連結され、雄側と雌側のそれぞれの連結具を連結させることにより、長尺ベルト部と短尺ベルト部により閉ループが形成される。
【特許文献１】実用新案登録第３１１２７８４号公報
【発明の開示】
【発明が解決しようとする課題】
【０００４】
しかしながら、上記従来例は、短尺ベルト部の長尺ベルト部との縫い繋ぎ部分、および雄側の連結具から折り返されて縫着される部分が局部的に過剰に厚くなることにより、鞄への密着性が損なわれて見栄えが悪くなってしまうという欠点がある。特に、連結環で折り返されて縫着される部分は緊張に伴って連結環周りに短尺ベルト部が適宜摺動することにより密着性が改善されるものの、長尺ベルト部との縫い繋ぎ部分は、これらの緊張に伴って鞄表面から大きく突出して見栄えを極めて悪くしてしまう。また、このような大きな突出は、鞄締め付けベルトを鞄運搬時に他のものに引っ掛かりやすくもしてしまう。
【０００５】
この点、長尺ベルト部と短尺ベルト部のそれぞれの端部を折り曲げずに単に重ねて縫い繋げた場合には、厚さをより薄く抑えて鞄への密着性を改善できるが、この場合には、強い力で使用の都度引っ張られて伸縮を繰り返す短尺ベルト部の端部からのゴム糸のほつれを有効に防止することができないおそれがある。
【０００６】
本発明は、以上の欠点を解消すべくなされたものであって、装着時の見栄え、使い勝手を良好にすることができる鞄締め付けベルトの提供を目的とする。
【課題を解決するための手段】
【０００７】
本発明によれば上記目的は、
ベルト本体１の長手方向に弾性線材や弾性繊維を用いて形成される弾性帯体２を連結して該弾性帯体２の弾性変形によりループ径Ｄを伸縮自在に形成してなり、
前記弾性帯体２は、長手方向に対する直交方向から包み込むように被さる名札ケース３に材端部４が縫着される鞄締め付けベルトを提供することにより達成される。
【０００８】
本発明によれば、弾性帯体２は弾性線材や弾性繊維を用いて形成され、その長手方向に対する直交方向から被さる名札ケース３に少なくとも材端部４を包み込まれ、名札ケース３に材端部４を縫着される。弾性線材等のほつれを生じやすい材端部４が名札ケース３に包み込まれて拘束されることにより、弾性帯体２をほつれにくくすることができ、仮にほつれても名札ケース３に隠れるために外観を損ねてしまうことはない。上記弾性帯体２は、弾性を備えて帯形状に形成されるもので、ゴム糸等の弾性線材や弾性繊維からなる糸を単独、あるいは他の糸とともに織ったり、編んだりして、さらには弾性繊維等を接着して不織布として形成される。
【０００９】
また、ほつれにくくするための弾性帯体２の材端部４の包み込みに名札ケース３を用いることにより、新たに専用の部材を設けなくて済み、デザイン的な違和感をより少なくすることができ、さらに、名札ケース３はベルト本体１のように所定の柔軟性や強度などの条件を満たすための厚さを必要としないことから、弾性帯体２に重ねても厚さを比較的薄く抑えることができる。
【００１０】
したがって本発明によれば、弾性帯体２を弾性変形させてループ径Ｄを伸長させた状態でスーツケースなどの鞄に巻き付け、この後、弾性帯体２を弾性復帰させるだけで、鞄締め付けベルトを容易に鞄に密着して装着することができ、鞄の不用意な開放防止や目印といった機能をその見栄えを良好に維持しつつ発揮させることが可能になる。また、繰り返しの使用による弾性帯体２におけるほつれの発生や、これによる見栄えの低下についても良好に防止でき、上述した機能と見栄え、使い勝手の維持との両立をより長期間に渡って確保することができる。
【００１１】
以上の鞄締め付けベルトは、弾性、伸縮性をほぼ有しないベルト本体１に対して弾性帯体２を名札ケース３を介して連結することにより、鞄に巻き付けて緊張させたときのこれらの連結部分の鞄表面からの突出を上述した従来例に比して抑えることができ、見栄えを良好に維持することができる。例えば、上述した従来例に示す連結環等の連結体における適宜の連結軸部に一端を巻回してその近傍で縫着等することにより一端部を支持された弾性帯体２の他端部について、名札ケース３を介してベルト本体１に連結すれば、鞄周りに緊張したときに弾性帯体２の両端が鞄表面から過剰に突出することはない。
【００１２】
また、上述したように弾性帯体２の一端部を名札ケース３に、他端部を連結軸部に巻回した上でその近傍に適宜縫着等するほか、弾性帯体２を連結体５の連結軸部６で折り返して上下に重ね、両材端部４、４を名札ケース３に縫着した場合には、連結軸部６近傍をよりスマートにすることができる上に、縫製等の工数をさらに少なくして製造効率を高めることができる。加えて、名札ケース３を鞄表面にきれいに沿うように密着させることができる。
【発明の効果】
【００１３】
以上の説明から明らかなように、本発明によれば、装着時の見栄え、使い勝手を良好にすることができる鞄締め付けベルトを提供することができ、鞄の携行をよりよくすることができる。
【発明を実施するための最良の形態】
【００１４】
図１（ａ）および（ｂ）に示すように、この実施の形態において鞄締め付けベルトとしてのスーツケースベルトは、ベルト体１０の両端をバックル１１で着脱自在に連結して形成される。上記バックル１１は被係合部１２が形成された雌側のバックル本体１３と、上記被係合部１２に係合する係合部１４が形成された雄側の金具１５との対で構成され、ベルト体１０の両端にバックル本体１３と金具１５を取り付け、これらの被係合部１２と係合部１４を連結させることによりベルト体１０を閉ループ状に連結する。
【００１５】
上記バックル本体１３は、合成樹脂材を射出成型してそれぞれ形成されるケース１６と蓋体１７とを有し、回転軸１８を介してケース１６に蓋体１７を回転自在に連結して形成される。ケース１６は、底板の両側縁から側壁を立設して形成され、両側壁間には、上記回転軸１８が架設されるとともに、ベルト体１０が巻回されて連結されるベルト連結軸１９が架設される。このケース１６の前端部には、上述した金具１５に係合する略柱状の被係合部１２が立設されるとともに、該被係合部１２の上端にはケース１６内方側に突出する係止突起１６ａが形成され、また、ケース１６後端縁は開放されて図３（ａ）に示すようにベルト体１０を挿入する挿入部１６ｂが形成される。
【００１６】
上記蓋体１７は、ケース１６の底板と平面視ほぼ同形状で、上述した回転軸１８によりケース１６の後端縁部を中心に回転し、ケース１６の底板の上方に重なる閉塞姿勢においてケース１６前端部の被係合部１２の上面にほぼ当接するように被さる。蓋体１７の前端部には、外方側に突出する押しボタン２０が形成され、その内方側には、図示しないバネにより前方側に付勢されて上述した係止突起１６ａに弾発係止可能で、押しボタン２０の押動によりバネの付勢力に抗して後退する係止片１７ａが形成される。
【００１７】
また、上記蓋体１７には、上述した押しボタン２０の押動を規制する錠装置２１が組み込まれる。図１（ａ）に示すように、この錠装置２１はダイヤル錠であり、蓋体１７表面に回転操作自在に露出する３つのダイヤル２１ａ、２１ａ、２１ａが所定の回転位置の組み合わせ以外にある時に押しボタン２０の押し込みを妨げ、係止片１７ａの係止突起１６ａとの係止解除を禁止する。上記ダイヤル錠はアメリカ運輸保安局（ＴＳＡ：Ｔｒａｎｓｐｏｒｔａｔｉｏｎ    Ｓｅｃｕｒｉｔｙ  Ａｄｍｉｎｉｓｔｒａｔｉｏｎ）による認定を受けたもので、蓋体１７の表面には、米国内の空港等のセキュリティチェックにおいて使用される特定のマスターキーによって施錠状態にあるダイヤル錠を強制解錠操作可能にするための鍵穴２１ｂが形成される。
【００１８】
一方、上記金具１５は、上述した被係合部１２を内部に挿通可能な矩形枠状の係合部１４と、この係合部１４よりもやや幅広の矩形枠状に形成され、ベルト体１０が巻回されて連結されるベルト連結部２２とを有し、これらを金属材料により一体成形して形成される。
【００１９】
以上のバックル１１に両端部を連結されるベルト体１０は、図１（ａ）に示すように、この種のベルト等に広く用いられる平面視日の字形状の長さ調整具２３の中央の軸部に一端を巻回されて縫着により固定され、長さ調整具２３から引き出された後、適宜折り返されて上記中央の軸部に固定される上記一端部の上面を跨ぐように長さ調整具２３に再度挿通されて長さ調整自在にされる。長さ調整具２３に再度挿通されたベルト体１０の他端側は、長さ調整具２３から引き出された後、挿入部１６ｂからバックル本体１３内に挿入されてベルト連結軸１９に巻回され、バックル本体１３に連結される。また、上述したように長さ調整具２３から引き出されて適宜折り返される途上において、ベルト体１０は金具１５のベルト連結部２２に挿通され、これによりバックル本体１３と金具１５との間でベルト体１０の長さを長さ調整具２３により調整自在にされ、バックル本体１３と金具１５を連結することによりベルト体１０によって形成されるループ径Ｄを調整自在にされる。
【００２０】
以上のベルト体１０は、鞄に巻き付けたときに密着しやすいように、ベルト本体１に弾性帯体２を継ぎ足して伸縮自在に形成される。上記ベルト本体１はアクリル繊維からなり、巻回によって鞄の不測の開放を防止しうる適宜の厚さ、強度を備える。一方、弾性帯体２は、ベルト本体１よりもやや薄手で、ゴム糸と織糸を合わせて織ることなどにより長手方向にのみ伸縮性を有して形成される。
【００２１】
上記ベルト本体１は、上述したように金具１５に連結されるとともに長さ調整具２３からバックル本体１３に向かって引き出され、一方、弾性帯体２は、長さ調整具２３とバックル本体１３との間に配置される。ベルト本体１の長手方向への弾性帯体２の連結は、連結リング（連結体５）を介してなされ、ベルト本体１の一端が連結リング５の連結軸（ベルト連結軸部６）に巻回されて縫着により固定される。弾性帯体２は、上記連結リング５においてベルト本体１が巻回される連結軸６に対向する位置の連結軸６に巻回されることによりベルト本体１に継ぎ足され、この弾性帯体２は、この実施の形態において、名札ケース３を介して上述したバックル本体１３のベルト連結軸１９に連結される。
【００２２】
名札ケース３は、適宜の補強材を裏打ちされた合成皮革であり、平面視矩形の表材２４の三辺からそれぞれ折り返し片２５、２５’、２５”を張り出して形成され、図１（ｃ）に点線、矢印で示すように各折り返し片２５、２５’、２５”を表材２４の裏面側に折り畳み、表材２４の周縁に沿って表材２４と折り返し片２５を共縫いすることにより開放端を有する略袋状にされる。弾性帯体２と名札ケース３の連結は、図３（ａ）に示すように連結リング５で折り返された弾性帯体２の両端を略袋状に折り畳まれた名札ケース３内に差し込み、名札ケース３の表材２４の周縁に沿ってこれらを共縫いすることによりなされ、これにより名札ケース３が略袋状をなすと同時に弾性帯体２に連結される。
【００２３】
図２に示すように、名札ケース３と弾性帯体２を連結した状態で、弾性帯体２の材端部４は表裏および両側縁を包み込まれるように名札ケース３に密着して覆われ、表材２４周縁の縫製により、両側縁部、および長手方向の２箇所で名札ケース３にしっかりと密着するようにして縫着される。なお、図２において符号２６は縫製の糸である。
【００２４】
また、上記名札ケース３は、弾性帯体２の挿入反対端の折り返し片２５”をバックル本体１３のベルト連結軸１９に巻回して折り返すことによりバックル本体１３に連結される。さらに、図２に示すように、名札ケース３の表材２４には窓部３ａが開設され、この窓部３ａの周縁に周縁部を溶着させて窓部３ａを塞ぐようにして透明なフィルム材２７が固定される。なお、図２において表材２４にスリット状に設けられる２８は名札挿入部であり、該名札挿入部２８から名札ケース３内に挿入された名札２９は弾性帯体２の表面に載置され、表材２４周縁が縫着されていることにより窓部３ａを介して名札ケース３外方から見える位置で名札ケース３内に収容される。
【００２５】
したがってこの実施の形態において、スーツケースベルトは、長さ調整具２３によりベルト体１０の全長をスーツケースの胴回りよりもやや短い程度に設定し、スーツケース胴回りへの巻き付け時に弾性帯体２を伸長させてその全長を伸ばして金具１５とバックル本体１３を連結すれば、スーツケース外表面にきれいに密着して運搬時の不測の開放を防止し、また、他人のスーツケースと識別する際の目印となる。ベルト本体１に比して素材が薄手の弾性帯体２と名札ケース３は重ねて縫着されてもあまり嵩張らず、また、弾性帯体２は名札ケース３に材端部４を完全に包囲されて縫着されるために、伸縮を繰り返してもほつれにくく、仮にほつれた場合にも名札ケース３内に隠れるために外観を損ねることはない。
【００２６】
なお、以上の実施の形態においては、図１（ｃ）に示すように、表材２４の一方の側縁から張り出す折り返し片２５を表材２４と同程度の大きさに形成し、折り畳みにより表材２４の裏面に重ねて弾性帯体２を裏面側から包む底材３０をなすようにした場合を示したが、図３（ｂ）に示すように、バックル本体１３に連結される折り返し片２５”を長寸にして表材２４裏面に重ねることも可能で、この場合にはかかる折り返し片２５”が表材２４の周縁でしっかりと縫着され、名札ケース３とバックル１１との連結強度をより向上させることができる。
【００２７】
また、以上の実施の形態においては、ベルト本体１に弾性帯体２に加えて名札ケース３をも継ぎ足し、名札ケース３を介して対をなすバックル１１の一方に連結する場合を示したが、弾性帯体２を直接一方のバックル１１に連結することも可能で、この場合を図３（ｃ）に他の実施の形態として示す。なお、以下に示す実施の形態において、上述した実施の形態と同一の構成要素は図中に同一の符号を付して説明を省略する。
【００２８】
この実施の形態においては、バックル本体１３のベルト連結軸１９が連結体５の連結軸部６として機能し、弾性帯体２は、バックル本体１３に形成されるベルト連結軸１９、および連結リング５の巻回軸６の双方に巻回され、折り返されて向き合う両材端部４が弾性帯体２の長手方向中央部に重なるようにして名札ケース３内部に挿入されて名札ケース３に縫着される。名札ケース３は、この実施の形態において、表材２４の両側縁からのみ張り出す折り返し片２５を折り畳んで形成されることにより、略筒状をなす。
【００２９】
したがってこの他の実施の形態においては、弾性帯体２が名札ケース３の前後から引き出され、弾性帯体２をあまり目立たせることなくベルト体１０の伸縮量をより大きくすることができる。
【００３０】
図３（ｄ）にさらに他の実施の形態を示す。この実施の形態において、上述した他の実施の形態と同様に略筒状に形成される名札ケース３内には、弾性帯体２の両材端部４のみが挿入され、ベルト連結軸１９と巻回軸６との間に張り渡される弾性帯体２の長手方向中央部２ａは外部に露出する。この弾性帯体２の長手方向中央部２ａは名札ケース３の裏側に隠れるためにあまり目立つことはない。
【００３１】
したがってこの実施の形態においては、上述した他の実施の形態に比べて弾性帯体２が名札ケース３の裏面側においても伸縮するために、見栄えをあまり損ねることなく、さらに伸縮量を大きくすることができる。
【００３２】
なお、以上の実施の形態においては、名札ケース３における名札の載置面を弾性帯体２や折り返し片２５を活用して形成する場合を示したが、表材２４の裏面に別途専用の板材等を配置して載置面を形成することも可能である。
【図面の簡単な説明】
【００３３】
【図１】本発明を示す図で、（ａ）は全体斜視図、（ｂ）はバックル部分の拡大斜視図、（ｃ）は名札ケースの分解図で、平面図である。
【図２】名札ケース近傍を示す要部拡大図で、（ａ）は縦断面図、（ｂ）は（ａ）の２Ｂ-２Ｂ線要部断面図である。
【図３】名札ケースの構造等を示す図で、（ａ）は弾性帯体の挿入状態、縫製状態を説明する要部分解斜視図、（ｂ）は名札ケースの変形例を示す平面図、（ｃ）は他の実施の形態を示す図で、名札ケースと弾性帯体の連結状態を説明する概念図、（ｄ）はさらに他の実施の形態における名札ケースと弾性帯体の連結状態を説明する概念図である。
【符号の説明】
【００３４】
１  ベルト本体
２  弾性帯体
３  名札ケース
４  材端部
５  連結体
６  ベルト連結軸部
Ｄ  ループ径
【図１】
2008272186.tif 000003
【図２】
2008272186.tif 000004
【図３】
2008272186.tif 000005